(57)【特許請求の範囲】
【請求項１】
重ね合わせ状態で下層となり、前後に折り畳みを行う折り線を備える基材シートと、
重ね合わせ状態で上層となり、切れ目によって、前後の第１及び第２の二つの領域に分離可能に区画され、両領域表面にプリンターにより情報が記録される情報記録用シートと、を有し、
前記基材シートの表面側において、前側領域の全体、後側領域の少なくとも周縁部全体、その周縁部で囲まれる内部領域全体又は部分的に、粘着剤層が設けられており、
前記情報記録用シートを、その裏面側を前記基材シートの表面側に積層した封筒型情報隠蔽シートであって、
前記情報記録用シートの少なくとも第２の領域の裏面側に前記粘着剤層に対する剥離剤層を設けるとともに、この剥離剤層の裏面側であってかつ前記内部領域に対応する位置に、前記粘着剤層と接触することで前記粘着剤層に転写され前記粘着剤層の粘着性を低下させる糊殺し層が設けられ、前記情報記録用シートと基材シートとが全体で接着された状態にありかつ前記内部領域が情報記録用シートに対して剥離後に再接着不能となる疑似接着の状態にあり、
前記情報記録用シートの前記第２の領域は、前記切れ目によって前記第１の領域から切り離しつつ、前記基材シートより前記第２の領域を剥がすことで露出する、前記基材シートの後側領域の周縁部の前記粘着剤層が、前記情報記録用シートの前記第１の領域の表面に、前記折り線を介して折り重ねられるようにした、
ことを特徴とする封筒型情報隠蔽シート。
【請求項２】
前記内部領域に、粘着剤層が、格子状に、縞状に又は散点状に設けられている、請求項１記載の封筒型情報隠蔽シート。
【発明の詳細な説明】
【技術分野】
【０００１】
本発明は、給与明細書や請求書等の、特定人のみが知り得るように情報を隠蔽可能とする封筒型情報隠蔽シートに関するものである。
【背景技術】
【０００２】
この種の封筒型情報隠蔽シートとしては、例えば特許文献１のようなものが挙げられる。
この従来のものは、一方の面の周縁部に粘着性領域が形成された基材シートと、切取線によって第１、第２の領域の２つに分離することのできる印字用シートと、から構成されている。第２の領域の一方の面には剥離剤層が形成されており、基材シート及び印字用シートの両シートを、粘着性領域と剥離剤層とが合わさるように積層し、第２の領域を第１の領域及び基材シートから分離する。そして、基材シートを折り曲げ、基材シートの粘着性領域が露出した部分を第１の領域に重ねることで、第１の領域に印字された情報を隠蔽する。このような封筒型情報隠蔽シートでは、第１の領域に重ねられた基材シートを除去することで第１の領域に印字された情報を見ることができる。
しかしながら、このような従来の封筒型情報隠蔽シートは、基材シートの後側領域の周縁部にしか粘着剤層が形成されていないため、その周縁部で囲まれる内部領域全体は、印字用シートが基材シートから浮いている状態にある。
その結果、基材シートと印字用シートとが積層された状態、プリンターにより印刷を行う際に、印字用シートの前記内部領域に対応する部分において、印字を良好に行い得ない、また、印字用シートの一部が基材シートから浮いてしまい、プリンターでの走行性が低下してしまうという問題があった。
【特許文献１】特開２００５−２１９４８８
【発明の開示】
【発明が解決しようとする課題】
【０００３】
そこで、本発明の主たる課題は、プリンターでの印字性及び走行性が良好な封筒型情報隠蔽シートを提供することにある。
【課題を解決するための手段】
【０００４】
上記課題を解決した本発明は次記のとおりである。
＜請求項１記載の発明＞
重ね合わせ状態で下層となり、前後に折り畳みを行う折り線を備える基材シートと、
重ね合わせ状態で上層となり、切れ目によって、前後の第１及び第２の二つの領域に分離可能に区画され、両領域表面にプリンターにより情報が記録される情報記録用シートと、を有し、
前記基材シートの表面側において、前側領域の全体、後側領域の少なくとも周縁部全体、その周縁部で囲まれる内部領域全体又は部分的に、粘着剤層が設けられており、
前記情報記録用シートを、その裏面側を前記基材シートの表面側に積層した封筒型情報隠蔽シートであって、
前記情報記録用シートの少なくとも第２の領域の裏面側に前記粘着剤層に対する剥離剤層を設けるとともに、この剥離剤層の裏面側であってかつ前記内部領域に対応する位置に、前記粘着剤層と接触することで前記粘着剤層に転写され前記粘着剤層の粘着性を低下させる糊殺し層が設けられ、前記情報記録用シートと基材シートとが全体で接着された状態にありかつ前記内部領域が情報記録用シートに対して剥離後に再接着不能となる疑似接着の状態にあり、
前記情報記録用シートの前記第２の領域は、前記切れ目によって前記第１の領域から切り離しつつ、前記基材シートより前記第２の領域を剥がすことで露出する、前記基材シートの後側領域の周縁部の前記粘着剤層が、前記情報記録用シートの前記第１の領域の表面に、前記折り線を介して折り重ねられるようにした、
ことを特徴とする封筒型情報隠蔽シート。
【０００５】
（作用効果）
本発明によれば、基材シートに情報記録用シートを積層した際に、糊殺し層と基材シートの粘着剤層とが重なる部分で疑似接着が生じ、基材シートから第２の領域が浮いてしまうことがないため、基材シートに情報記録用シートを積層した状態での、プリンター印字性及び走行性が損なわれることがない。
また、情報記録用シートの第２の領域を基材シートから剥離する際には、糊殺し層が設けられているために、剥離抵抗が小さいものとなり、剥離に際してカールの発生を抑制できる。しかも、基材シートの後側領域を、前記情報記録用シートの前記第１の領域の表面に、前記折り線を介して折り重ねたとき、糊殺し層により粘着剤層の粘着力が小さい又は実質的にないものとなるから、基材シートの後側領域を情報記録用シートの第１の領域の表面から容易に離間させてその第１の領域の情報を読み取ることができる。
【０００６】
＜請求項２記載の発明＞
前記内部領域に、粘着剤層が、格子状に、縞状に又は散点状に設けられている、請求項１記載の封筒型情報隠蔽シート。
【０００７】
（作用効果）
前記内部領域全体に（ベタで）粘着剤層を設けることもでき、糊殺し層の存在により接着力の低下を図ることができるが、依然として所要の接着力は必要であるために、情報記録用シートと第２の領域を基材シートとを剥離する際に基材シートにカールを生じる可能性がある。これに対し、粘着剤層を、格子状に、縞状に又は散点状に設けることによって剥離する際に情報記録用シートのカールを低減することができる。
【発明の効果】
【０００８】
以上のように、本発明によれば、プリンターでの印字性及び走行性が良好な封筒型情報隠蔽シートを提供することができる。
【発明を実施するための最良の形態】
【０００９】
以下、本発明の一実施形態について添付図面を参照しつつ詳説する。
尚、以下における前後左右の方向は、発明の構成を説明する上で便宜上定めているものであり、製品としての方向を限定するものではない。
【００１０】
［構成］
本発明に係る封筒型情報隠蔽シート１は、情報記録用シート１０と、情報記録用シート１０と同形の基材シート２０とから構成されており、情報記録用シート１０の裏面側と基材シート２０の表面側とを貼合することで形成される。情報記録用シート１０及び基材シート２０は、それぞれ四角形状であり、素材は紙製である。
【００１１】
情報記録用シート１０は、図２に示されるように、前後方向中間部よりやや後側に左右方向と平行に設けられている切れ目１３によって第１の領域１１と第２の領域１２とに分けられる。また、第１の領域１１には、左右方向と平行に設けられており、第１の領域１１を二つに分離可能にする切取線１４と、前後方向と平行に設けられており、第１の領域１１を二つに分離可能にする切取線１５、１５とが設けられている。
図３に示されるように、第１の領域１１の裏面側、及び、第２の領域１２の裏面側の周縁部、には、剥離剤層１６が設けられている。また、第２の領域１２の裏面側の中央部には、糊殺し層１７が設けられている。
【００１２】
基材シート２０は、図４に示されるように、左右方向と平行に設けられている折り線２３によって、第１の領域１１が積層される一方の領域２１と、第２の領域１２が積層される他方の領域２２とに区画されている。基材シート２０には、前後方向と平行に設けられており、基材シート２０を二つに分離可能にし、且つ、一方の領域２１と他方の領域２２とに跨る切取線２５，２５が形成されている。また、一方の領域２１及び他方の領域２２には、左右方向と平行に設けられており、一方の領域２１及び他方の領域２２をそれぞれ二つに分離可能にする切取線２４，２４が設けられている。更に、他方の領域２２には、他方の領域２２に設けられている切取線２４より後方向側に、左右方向と平行に設けられており、左右の切取線２５，２５を基端とする切取線２７が設けられている。
図４に示されるように、基材シート２０の表面側には全面に粘着剤層２６が設けられている。
【００１３】
切取線１５，１５は、第１の領域１１の左右の端縁よりＬ１だけ離間して設けられており、同様に、切取線２５，２５は基材シート１１の左右の端縁よりＬ１だけ離間して設けられている。切取線１４は、切れ目１３より前方向にＬ２だけ離間して設けられている。同様に、切取線２４，２４は折り線２３より前後方向にＬ２，Ｌ２だけ離間して設けられている。切れ目１３は、情報記録用シート１０の後側端縁よりＬ３だけ離間して設けられており、同様に、折れ線２３は、基材シート２０の後側端縁よりＬ３だけ離間して設けられている。
情報記録用シート１０及び基材シート２０が、上記のような関係で形成されていることで、両者が積層された状態では、切れ目１３と折れ線２３、切取線１４と一方の領域２１上の切取線２４、切取線１５，１５と切取線２５，２５、はそれぞれ重なる。
【００１４】
糊殺し層１７は、四角形状に形成されており、左右の端縁よりＬ１だけ離間して、切れ目１３よりＬ２だけ離間して、且つ、第２の領域１２の後側端縁よりＬ４だけ離間して、設けられている。一方、切取線２７は、他方の領域２２からＬ４だけ離間して設けられている。このように構成されていることで、情報記録用シート１０と基材シート２０とが積層された状態で、糊殺し層１７は、他方の領域２２の切取線２４，２５，２５，２７で囲まれる四角形状の領域をはみ出すことなく覆うことができる。この糊殺し層１７は、基材シート２０に情報記録用シート１０を積層すると、粘着剤層２６と重なる部分で疑似接着が生じ、また、第２の領域１２を他方の領域２２から剥離する際、他方の領域２２上の粘着剤層２６に転写され、粘着剤層２６の粘着性を大幅に低下させる。尚、切れ目１３はスリットから、切取線１４，１５，２４，２５，２７はミシン目から、それぞれ構成されており、また、切れ目１３はミシン目から構成することも可能である。
【００１５】
以上のように構成された本形態における封筒型情報隠蔽シート１は、まず図７，８に示されるように、第２の領域１２が第１の領域１１より切り離され、基材シート２０の他方の領域２２から剥がされる。この際、糊殺し層１７が設けられているため、他方の領域２２から第２の領域１２を剥がす際に剥離抵抗が小さいものとなり、剥離に際して他方の領域２２に生じるカールを低減できる。次いで、図９に示されるように、基材シート２０は折り線２３にて二点鎖線で示される矢印の方向に折り曲げられ、図１０に示されるように他方の領域２２が第１の領域１１の表面側に重ねられる。この際、図１１の断面図に示されるように、他方の領域２２の粘着剤層２６によって他方の領域２２は第１の領域１１に貼合される。
【００１６】
隠蔽が所望される情報は、他方の領域２２の糊殺し層１７が転写された領域と、その領域とが重なる第１の領域１１の領域に印刷される。このように印刷されていると、転写された糊殺し層１７の作用で印刷部分に他方の領域２２が接着しないため、印刷部分を閲覧するために他方の領域２２を取り除く際、印刷部分に破れが生じない。また、第２の領域１２には、その情報と同じ情報を印刷することで控えとして利用することができる。更に、折れ線２３が基材シート２０のやや後側に設けられているため、図１０に示されるように、他方の領域２２は、第１の領域１１の前側端縁付近に積層されない。この他方の領域２２が積層されない第１の領域１１の領域には、宛名等の情報を印刷することができる。
【００１７】
次いで、隠蔽された印刷部分の閲覧について詳説する。図１２に示されるように、切取線２４，２４，１４に沿って一方の領域２１と他方の領域２２と第１の領域１１と、の一部を切り離す。すると、他方の領域２２と第１の領域１１との非接着部分が後側に露出し、そこに指をかけるなどして、図１３に示されるように、切取線２５，２５，２７に囲まれる他方の領域２２の部分を、封筒型情報隠蔽シート１から除去することができ、隠蔽された印刷部分を閲覧することができる。また、隠蔽された印刷部分の閲覧の際には、切取線１５，１５，２５，２５に沿って一方の領域２１と他方の領域２２と第１の領域１１とを、切り離しても良い。
【００１８】
以上のように構成されている封筒型情報隠蔽シート１では、糊殺し層１７と粘着剤層２６とが重なる部分で疑似接着が起こるため、基材シート２０より情報記録用シート１０が浮いてしまうことがなく、２層のフラットな構造とすることができる。そのため、情報記録用シート１０の表面に、印字等の情報の記録を施す際に、プリンターの走行性及び印字性が極めて良い。その中でも特に、レーザープリンター、インクジェットプリンター、感熱方式プリンター、熱転写方式プリンター等のノンインパクトプリンターでの走行性及び印字性に優れている。
【００１９】
［素材］
情報記録用シート１０及び基材シート２０の素材としては、例えば、クラフト紙、上質紙、グラシン紙、パーチメント紙、レーヨン紙、コート紙、合成紙、樹脂フィルムがラミネートされたシート等を用いることができる。これらの素材は、耐水処理を施すことにより雨に濡れた場合の耐久性が増す。また、環境保護の観点から各種再生紙を用いてもよい。ただし、資源の再利用という観点からは、樹脂フィルムがラミネートされたもの等は、避けることが好ましい。また、各紙は、古紙を原料とする再生紙あるいはバージンパルプ原料とする非再生紙、更には合成紙のいずれであってもよい。
情報記録用シート１０及び基材シート２０の坪量は、特に限定されないが、隠蔽情報が反対面から透けて視認されない程度の不透明度を確保できること、郵送や取り扱いの利便性等を考慮すると３０〜２５０ｇ／ｍ2程度であるのが望ましいが、隠蔽性は地紋印刷等を付与することによる改善も可能であり、取り扱い性の面から４０〜２００ｇ／ｍ2の範囲が好適である。情報記録用シート１０及び基材シート２０の厚さは、例えば、通常５０〜３００μｍが好適である。
【００２０】
［粘着剤層］
粘着剤層２６を形成する粘着剤としては、ゴム系粘着剤、アクリル系、シリコン系、ポリウレタン系、ポリエステル系、有機溶剤系、エマルジョン系、ホットメルト系、紫外線硬化型等の既知の粘着剤を用いることができる。ゴム系接着剤は分子量が大きく弾力性があるため、密着しやすい性質を有する。ゴム系粘着剤としては、例えば、主成分として天然ゴム、ポリイソプレンゴム、ポリイソブチレン、ポリブタジエンゴム、スチレン−ブタジエン−スチレンブロック共重合体、スチレン−イソプレン−スチレンブロック共重合体等の合成ゴムの中から選ばれた少なくとも１種を含有するものが挙げられる。ゴム系粘着剤には、老化防止剤等を混合させるのも好ましい形態である。
【００２１】
アクリル系粘着剤としては、主成分として、アクリル酸エステル単独重合体、アクリル酸エステル単位２種以上を含む共重合体及びアクリル酸エステルと他の官能性単量体との共重合体の中から選ばれた少なくとも１種を含有するものが挙げられる。前記アクリル酸エステルとしては、例えば（メタ）アクリル酸ブチルエステル、（メタ）アクリル酸ペンチルエステル、（メタ）アクリル酸ヘキシルエステル、（メタ）アクリル酸ヘプチルエステル、（メタ）アクリル酸オクチルエステル、（メタ）アクリル酸ノニルエステル、（メタ）アクリル酸デシルエステル等が挙げられる。また、官能性単量体としては、例えば（メタ）アクリル酸ヒドロキシエチルエステル、（メタ）アクリル酸ヒドロキシプロピルエステル等のヒドロキシル基含有単量体、（メタ）アクリルアミド、ジメチル（メタ）アクリルアミド等のアミド基含有単量体、（メタ）アクリル酸等のカルボン酸基含有単量体等が挙げられる。ここで、アクリル系粘着剤を用いるのであれば、リサイクル処理における離解工程や再生工程において、不都合をもたらさないようにすべく、アルカリ可溶性、水溶性又は水再分散性を有するものを用いるのが望ましい。
また、粘着剤には、所望に応じて粘着付与剤、架橋剤、充填剤等が配合される。粘着付与剤としては、例えばロジン系樹脂、ポリテルペン系樹脂等の天然樹脂、Ｃ５系、Ｃ９系、ＤＣＰＤ系石油樹脂、クマロンインデン樹脂、キシレン樹脂等の合成樹脂等が挙げられる。架橋剤としては、ポリイソシアネート化合物、エポキシ樹脂、メラミン樹脂、尿素樹脂、金属キレート化合物、金属塩等が挙げられる。
【００２２】
粘着剤２３，２６，２７の厚さは、特に限定はされないが、通常２〜５０μｍ、好ましくは５〜２５μｍである。接着剤層２５や粘着剤２３，２６，２７の厚さを薄くすると、印刷記録する場合において、カット紙とする場合は給紙枚数が増え、連続紙とする場合は質量減少によってプリンターの負荷が減少する。
粘着剤２６は、接着剤や粘着剤を、例えば、塗布・塗工等することによって形成することができ、この塗布・塗工は、例えば、エアナイフコーター、ブレードコーター、ロッドメタリングコーター、カーテンコーター、ロールコーター等の従来各種塗工機を応用してパターン塗工できる方法を採用することができる。また、模様印刷あるいはベタ印刷によって接着剤や粘着剤の塗布量や塗布分布を適宜調整することが容易であることから、オフセット印刷、グラビア印刷、凸版印刷、孔版印刷等各種印刷による印刷塗工を採用することもできる。
接着剤や粘着剤の塗布・塗工量としては、用いる接着剤・粘着剤の種類により適宜変更可能であるが、乾燥後の厚みで通常２〜５０μｍ、好適には５〜３０μｍである。
【００２３】
［剥離剤層］
剥離剤層１６を形成する剥離剤は、剥離性を発現するものであれば特に限定されず、例えば、シリコン、長鎖アルキルポリマー、ポリオレフィン、アルキド樹脂、フッ素化合物等を挙げることができる。
剥離剤層１６は、粘着剤層２６の形成と同様に、例えば、剥離剤を塗布・塗工等することによって形成することができる。
剥離剤の塗布・塗工量としては、用いる剥離剤の種類により適宜変更可能であるが、固形部質量で０．１〜１０ｇ／ｍ2である。
【００２４】
［糊殺し層］
糊殺し層１７を形成する糊殺し剤は、糊殺し可能なものであれば特に限定されず、例えば、水系エマルジョンタイプの接着剤、有機溶剤系接着剤、エポキシ樹脂等の２液反応型接着剤、各種印刷インキ等を挙げることができる。
糊殺し層１７は、粘着剤層２６の形成と同様に、例えば、剥離剤を塗布・塗工等することによって形成することができる。
糊殺し剤の塗布・塗工量としては、用いる剥離剤の種類により適宜変更可能であるが、固形部質量で１〜１０ｇ／ｍ2である。
【００２５】
［その他の形態］
図１４，１５に示すように、他方の領域２２上の切取線２４，２５，２５，２７で囲まれる四角形状の領域内に設けられる粘着剤層２６は、格子状に、または、散点状に設けても良い。また、図示はしないが縞状に設けることも可能である。このように構成されていることで、粘着剤層２６と糊殺し層１７とが接触することによって生じる疑似接着の面積を減らすことができ、基材シート２０と第２の領域１２との疑似接着力を低下させることができる。その結果、第２の領域１２を基材シート２０から剥がす際に、第２の領域１２がその粘着力からカールしてしまう現象をより効果的に防止することができる。また、粘着剤層２６を図示されるように満遍なく構成していることで、基材シート２０から第２の領域１２が浮いてしまうことをも防止することができる。尚、この場合、他方の領域２２上の切取線２４，２５，２５，２７で囲まれる四角形状の領域面積の２０％〜８０％の範囲に粘着剤層２６を設けるのが好ましい。また、情報記録用シート１０の第１の領域１１の裏面側に設けられた剥離剤層に、剥離剤層との新和性の高い樹脂を塗布することで容易に基材シートから第１の領域が剥離しないようにすることもできる。樹脂として特に限定はないが、剥離剤層がシリコン樹脂で構成されている場合であれば、新和性の高い樹脂としてシリコン含有ＵＶ硬化インキが好適である。
【産業上の利用可能性】
【００２６】
本発明は、給与明細書や請求書等の、特定人のみが知り得ることが好ましい情報を隠蔽可能とする封筒型情報隠蔽シートとして適用可能である。
【図面の簡単な説明】
【００２７】
【図１】封筒型情報隠蔽シートの斜視図である。
【図２】封筒型情報隠蔽シートの平面図である。
【図３】情報記録用シートの裏面側を示す平面図である。
【図４】基材シートの平面図である。
【図５】Ａ−Ａ断面図である。
【図６】Ｂ−Ｂ断面図である。
【図７】封筒型情報隠蔽シートから第２の領域を分離した状態を示す平面図である。
【図８】封筒型情報隠蔽シートから第２の領域を分離する状況を示す断面図である。
【図９】封筒型情報隠蔽シートから第２の領域を分離した状態を示す斜視図である。
【図１０】封筒型情報隠蔽シートの平面図である。
【図１１】Ｃ−Ｃ断面図である。
【図１２】封筒型情報隠蔽シートの平面図である。
【図１３】封筒型情報隠蔽シートの平面図である。
【図１４】基材シートの平面図である。
【図１５】基材シートの平面図である。
【符号の説明】
【００２８】
１…封筒型情報隠蔽シート、１０…情報記録用シート、１１…第１の領域、１２…第２の領域、１３…切れ目、１４，１５…切取線、１６…剥離剤層、１７…糊殺し層、２０…基材シート、２１…一方の領域、２２…他方の領域、２３…折り線、２４，２５…切取線、２６…粘着剤層、２７…切取線。
【図１】
0004879101.tif 000002
【図２】
0004879101.tif 000003
【図３】
0004879101.tif 000004
【図４】
0004879101.tif 000005
【図５】
0004879101.tif 000006
【図６】
0004879101.tif 000007
【図７】
0004879101.tif 000008
【図８】
0004879101.tif 000009
【図９】
0004879101.tif 000010
【図１０】
0004879101.tif 000011
【図１１】
0004879101.tif 000012
【図１２】
0004879101.tif 000013
【図１３】
0004879101.tif 000014
【図１４】
0004879101.tif 000015
【図１５】
0004879101.tif 000016